(57)【要約】【課題】ＭＡＣ−ＡＲＱを用いたパケット再送時におけるデータスループットの低下を防止する。【解決手段】無線通信端末からの再送要求を検出する再送要求検出手段と、パケット通信に用いる通信帯域を適応的に割り当てる帯域割当手段と、前記帯域割当手段が割り当てる前記通信帯域に関する帯域情報と前記再送要求のあったパケットのデータ量とから、再送信の際の変調クラスを算出する変調クラス取得手段と、前記変調クラスが前回のパケットの送信の際の変調クラスより低い変調クラスかどうかを判定する変調クラス判定手段と、前記変調クラスの判定結果に応じ、前記再送要求のあったパケットを再送信する再送手段とを備え、前記変調クラス取得手段は、再送信されるパケット数が前回送信時と同一のパケット数で送信されるように変調クラスを算出することを特徴とする。【選択図】図３
2008067206.tif 000002
【特許請求の範囲】
【請求項１】
無線通信端末とパケット通信を行う基地局装置において、
前記無線通信端末からの再送要求を検出する再送要求検出手段と、  
前記パケット通信に用いる通信帯域を適応的に割り当てる帯域割当手段と、
前記帯域割当手段が割り当てる前記通信帯域に関する帯域情報と前記再送要求のあったパケットのデータ量とから、再送信の際の変調クラスを算出する変調クラス取得手段と、
前記変調クラスが前回のパケットの送信の際の変調クラスより低い変調クラスかどうかを判定する変調クラス判定手段と、
前記変調クラスの判定結果に応じ、前記再送要求のあったパケットを再送信する再送手段と、
を備え、
前記変調クラス取得手段は、再送信されるパケット数が前回送信時と同一のパケット数で送信されるように変調クラスを算出する、
ことを特徴とする基地局装置。
【請求項２】
前記通信帯域は、
通信に用いる通信帯域を複数のサブキャリアからなるサブチャネル単位で取り扱うＯＦＤＭＡ方式に用いるサブチャネルである、
ことを特徴とする請求項１に記載の基地局装置。
【請求項３】
前記変調クラス判定手段が判定した結果、前記変調クラスが前回のパケットの送信の際の変調クラスより低い場合には、
前記再送手段は、前記再送要求のあったパケットを再送信する、
ことを特徴とする請求項１または２に記載の基地局装置。
【請求項４】
前記再送手段が、前記変調クラスの判定結果に応じて前記再送要求のあったパケットを再送信する際は、
前記サブチャネルの数は前回のパケットの送信の際に割り当てられたサブチャネル数より多い、
ことを特徴とする請求項３に記載の基地局装置。
【請求項５】
前記変調クラスの判定結果が、前回のパケットの送信の際の変調クラスより低くなかった場合は、
前記帯域割当手段は、他の通信に割り当てられたサブチャネルを開放できるかどうかを判断し、開放できるサブチャネルがある場合は該サブチャネルを開放する、
ことを特徴とする請求項２に記載の基地局装置。  
【請求項６】
基地局装置が無線通信端末とパケット通信を行うための無線通信方法であって、
前記無線通信端末からの再送要求を検出する再送要求検出ステップと、  
前記パケット通信に用いる通信帯域を適応的に割り当てる帯域割当ステップと、
前記帯域割ステップが割り当てる前記通信帯域に関する帯域情報と前記再送要求のあったパケットのデータ量とから、再送信の際の変調クラスを算出する変調クラス取得ステップと、
前記変調クラスが前回のパケットの送信の際の変調クラスより低い変調クラスかどうかを判定する変調クラス判定ステップと、
前記変調クラスの判定結果に応じ、前記再送要求のあったパケットを再送信する再送ステップと、
を含み、
前記変調クラス取得ステップは、再送信されるパケット数が前回送信時と同一のパケット数で送信されるように変調クラスを算出する、
ことを特徴とする無線通信方法。
【発明の詳細な説明】
【技術分野】
【０００１】
本発明は、基地局装置及び無線通信方法に関する。
【背景技術】
【０００２】
データ伝送路の状態が時々刻々と変化する移動体通信では、ＡＲＱ（Automatic Repeat reQuest）、つまり自動再送制御やＦＥＣ（Forward Error Correction）等の誤り訂正符号などが誤り制御技術として重要である。ＡＲＱは主にＭＡＣ(Media Access Control)層の機能の１つ（ＭＡＣ−ＡＲＱ）として設けられており、その方式として、Stop-and-wait方式、Go-back-N方式、Selective-repeat方式などがある。
【０００３】
Stop-and-wait方式とは、送信側がパケットを１つ送信する度に受信側はＮＡＣＫ信号(Negative ACKnowledgement）またはＡＣＫ信号（ACKnowledgement）信号を送信し、送信側はＮＡＣＫ信号（再送要求）を受信した場合は、前回送信したパケットを再送し、またＡＣＫ信号を受信した場合は、次のパケットを送信する方式である。Go-back-N方式とは、送信側がＮ個のパケットを連続して送信し、受信側から再送要求（ＮＡＣＫ信号）を受けた場合、再送要求されたパケット以降の全てのパケットを再送する方式である。Selective-repeat方式とは、送信側がＮ個のパケットを連続して送信し、受信側から再送要求（ＮＡＣＫ信号）を受けた場合、再送要求されたパケットのみ再送する方式である。
【特許文献１】特開２００３−３１９４６４号公報
【発明の開示】
【発明が解決しようとする課題】
【０００４】
ところで、上記のようなＭＡＣ−ＡＲＱでは、パケットを再送する際に確実に受信側に送信されるよう、伝送レートが低い変調方式、例えばＢＰＳＫ（Binary Phase Shift Keying）等に変更して再送する場合がある。この場合、再送パケットが受信側に確実に送信される確率は高まるが、伝送レートが低くなるためデータスループットが低下してしまうという問題がある。
【０００５】
本発明は、上述した事情に鑑みてなされたものであり、ＭＡＣ−ＡＲＱを用いたパケット再送時におけるデータレートの低下を防止し、結果としてスループットの低下を防止することを目的とする。
【課題を解決するための手段】
【０００６】
上記目的を達成するために、本発明では、基地局装置に係る第１の解決手段として、無線通信端末とパケット通信を行う基地局装置において、前記無線通信端末からの再送要求を検出する再送要求検出手段と、前記パケット通信に用いる通信帯域を適応的に割り当てる帯域割当手段と、前記帯域割当手段が割り当てる前記通信帯域に関する帯域情報と前記再送要求のあったパケットのデータ量とから、再送信の際の変調クラスを算出する変調クラス取得手段と、前記変調クラスが前回のパケットの送信の際の変調クラスより低い変調クラスかどうかを判定する変調クラス判定手段と、前記変調クラスの判定結果に応じ、前記再送要求のあったパケットを再送信する再送手段とを備え、前記変調クラス取得手段は、再送信されるパケット数が前回送信時と同一のパケット数で送信されるように変調クラスを算出することを特徴とする。
【０００７】
また、本発明では、基地局装置に係る第２の解決手段として、上記第１の解決手段において、前記通信帯域は、通信に用いる通信帯域を複数のサブキャリアからなるサブチャネル単位で取り扱うＯＦＤＭＡ方式に用いるサブチャネルであることを特徴とする。
【０００８】
また、本発明では、基地局装置に係る第３の解決手段として、上記第１または第２の解決手段において、前記変調クラス判定手段が判定した結果、前記変調クラスが前回のパケットの送信の際の変調クラスより低い場合には、前記再送手段は、前記再送要求のあったパケットを再送信することを特徴とする。
【０００９】
また、本発明では、基地局装置に係る第４の解決手段として、上記第３の解決手段において、前記再送手段が、前記変調クラスの判定結果に応じて前記再送要求のあったパケットを再送信する際は、前記サブチャネルの数は前回のパケットの送信の際に割り当てられたサブチャネル数より多いことを特徴とする。
【００１０】
また、本発明では、基地局装置に係る第５の解決手段として、上記第２の解決手段において、前記変調クラスの判定結果が、前回のパケットの送信の際の変調クラスより低くなかった場合は、前記帯域割当手段は、他の通信に割り当てられたサブチャネルを開放できるかどうかを判断し、開放できるサブチャネルがある場合は該サブチャネルを開放することを特徴とする。
【００１１】
さらに、本発明では、無線通信方法に係る解決手段として、基地局装置が無線通信端末とパケット通信を行うための無線通信方法であって、前記無線通信端末からの再送要求を検出する再送要求検出ステップと、前記パケット通信に用いる通信帯域を適応的に割り当てる帯域割当ステップと、前記帯域割ステップが割り当てる前記通信帯域に関する帯域情報と前記再送要求のあったパケットのデータ量とから、再送信の際の変調クラスを算出する変調クラス取得ステップと、前記変調クラスが前回のパケットの送信の際の変調クラスより低い変調クラスかどうかを判定する変調クラス判定ステップと、前記変調クラスの判定結果に応じ、前記再送要求のあったパケットを再送信する再送ステップとを含み、前記変調クラス取得ステップは、再送信されるパケット数が前回送信時と同一のパケット数で送信されるように変調クラスを算出することを特徴とする。
【発明の効果】
【００１２】
本発明によれば、ＭＡＣ−ＡＲＱを用いたパケット再送時において、再送パケットのデータレートの低下を防止することができ、且つ確実に相手に送信することができる。その結果、スループットの低下を防止することができる。
【発明を実施するための最良の形態】
【００１３】
ＯＦＤＭＡ(Orthogonal Frequency Division Multiple Access）方式を用いた無線通信システムに本発明を適用した一実施形態について説明する。まず、本実施形態におけるＯＦＤＭＡ方式を適用した無線通信システムについて説明する。
【００１４】
周知のようにＯＦＤＭＡとは、直交関係にある全てのサブキャリアを全無線通信端末ＰＳで共有し、任意の複数のサブキャリアの集まりを１つのグループとして位置づけ、各無線通信端末ＰＳに１つ又は複数のグループを適応的に割り当てることにより多元接続を実現する技術である。本実施形態の無線通信システムでは、上記したＯＦＤＭＡ技術に、時分割多重接続（ＴＤＭＡ）及び時分割複信（ＴＤＤ）技術をさらに組み合わせている。つまり、各グループをＴＤＤとして時間軸方向に上り回線と下り回線に分け、さらにこれら上り回線と下り回線をそれぞれ４つのＴＤＭＡスロットに分割している。そして、本実施形態においては、各グループが時間軸方向にそれぞれＴＤＭＡスロットとして分割された１つの単位をサブチャネルと呼ぶことにする。図２に本実施形態の無線通信システムにおける周波数とＴＤＭＡスロットとサブチャネルの関係を示す。縦軸は周波数、横軸は時間を示している。図２が示すように、周波数方向２８個、時間軸方向４個（４スロット）を掛け合わせた１１２個のサブチャネルが上り回線用と下り回線用にそれぞれ割り当てられる。
【００１５】
本実施形態の無線通信システムでは、図２に示すように、全サブチャネルのうち周波数方向の一番端のサブチャネル（図２では１番）を制御チャネル（ＣＣＨ）として使用し、残りのサブチャネルをトラフィックサブチャネル（ＴＣＨ）として使用している。そして、無線通信を行う基地局ＣＳと無線通信端末ＰＳには、上り回線と下り回線のそれぞれに属する全トラフィックサブチャネル（この場合、ＣＣＨを除いた２７×４スロットの１０８サブチャネル）のうちから任意の１つ又は複数のトラフィックサブチャネルが割り当てられる。なお、通信チャネルとしての上り回線用及び下り回線用のトラフィックサブチャネルには同じトラフィックサブチャネルが割り当てられる。
【００１６】
図１に示す通り、本実施形態の無線通信システムは、基地局ＣＳと無線通信端末ＰＳおよび図示しないネットワークから成り、基地局ＣＳと無線通信端末ＰＳは、時分割多重接続（ＴＤＭＡ）、時分割複信（ＴＤＤ）に加えて直交周波数分割多重接続（ＯＦＤＭＡ）を多元接続技術として通信を行うものである。基地局ＣＳは、一定の距離間隔で複数設けられ、複数の無線通信端末ＰＳと多重接続を行い無線通信を行う。以下、基地局ＣＳが送信側、無線通信端末ＰＳが受信側の場合を例示し、ＭＡＣ−ＡＲＱ方式としてStop-and-wait方式を用いるとして説明する。
【００１７】
図３は、本実施形態における基地局ＣＳの要部構成を示すブロック図である。図３に示すように、基地局ＣＳは、QoS（Quality Of Service）制御部１、スケジューラ２、通信管理部３、帯域割当部４、MAC-PDU(Media Access Control-Protocol Data Unit)構築部５、PHY-PDU(PHYsical-Protocol Data Unit)構築部６、誤り訂正符号化部７、変調部８、送信部９、受信部１０、復調部１１、誤り訂正復号部１２、PHY-PDU解析部１３、再送制御部１４、及びデータ再構築部１５を備えている。また、上記PHY-PDU解析部１３は、MAC-ARQ応答判定部１３aを備えている。
【００１８】
なお、基地局ＣＳにおいて、QoS（Quality Of Service）制御部１、スケジューラ２、通信管理部３、帯域割当部４、MAC-PDU構築部５、PHY-PDU構築部６、PHY-PDU解析部１３、再送制御部１４、及びデータ再構築部１５は、ＭＡＣ(Media Access Control)層の機能構成要素であり、また、誤り訂正符号化部７、変調部８、送信部９、受信部１０、復調部１１、及び誤り訂正復号部１２は、物理層の機能構成要素である。また、図３では、ＭＡＣ層の上位層における構成については省略する。
【００１９】
QoS制御部１は、上位層で動作するアプリケーションや通信接続される無線通信端末ＰＳのユーザ優先度に基づいて、上位層から入力されるデータ（ペイロード）に優先度を割り当て、当該データからなるパケット（つまりMAC-PDU）の送受信タイミングの割り当てを行うようにスケジューラ２を制御する。
【００２０】
スケジューラ２は、QoS制御部１から入力されるMAC-PDUのフロー制御を行うと共に、上記QoS制御部１の制御の下、通信接続される無線通信端末ＰＳに割り当てられたサービスクラスや、基地局ＣＳと無線通信端末ＰＳ間のパケット（MAC-PDU）の待ち行列の状態に基づいて、送信すべきパケットの送信順序を決定する。また、このスケジューラ２は、再送制御部１４の指示に基づき、再送パケットの送信順序を決定する。通信管理部３は、通信接続される無線通信端末ＰＳ間の通信品質に応じてパケットの符号化レートやそのパケットに対する変調方式の割り当てを行う。そして、送信されるパケットとそのパケットに割り当てられた変調方式との関係が、通信管理部３内の図示しない記憶部に記憶される。なお、変調方式とは、ＢＰＳＫ（Binary Phase Shift Keying）、ＱＰＳＫ(Quadrature Phase Shift Keying）、あるいは１６ＱＡＭ（Quadrature Amplitude Modulation）等のことをいい、適宜変調方式を変更することで送信するパケットのデータレートを変更できる。また、データレートに応じたこれら変調方式を変調クラスとも呼ぶ。また、この通信管理部３は、後述する帯域割当部４を通じて送られる送信データ量に関する情報やサブチャネルの使用状況に関する情報に基づき変調方式の決定を行う。
【００２１】
帯域割当部４は、QoS制御部１からの優先度に関する情報、スケジューラ２からの送信データ量に関する情報や通信可能帯域に関する情報及び上記通信管理部３からの変調方式の情報に基づき、各パケットに対して割り当てるサブチャネルを決定する。このサブチャネルの割当情報はＭＡＰ情報と呼ぶ。また、この帯域割当部４は、どのサブチャネルに通信が割り当てられ、どのサブチャネルが空いているかといった、サブチャネルの使用状況に関する情報を保持し、要求に応じてその情報を通信管理部３に送る。MAC-PDU構築部５は、上記帯域割当部４を介してスケジューラ２から入力されるパケットにMACヘッダ及びCRC符号を付加してMAC-PDUを構築し、PHY-PDU構築部６に出力する。
【００２２】
PHY-PDU構築部６は、上記スケジューラ２から所定のタイミング（下り回線用スロット）で出力されるMAC-PDUに対し、ＭＡＰ情報や符号化レート及び変調方式等の制御情報を含む物理層ヘッダを付加して、下り回線用つまり無線通信端末ＰＳへ送信するPHY-PDUを構築し、当該PHY-PDUのビット列を誤り訂正符号化部７に出力する。誤り訂正符号化部７は、例えばＦＥＣ（Forward Error Correction）エンコーダであり、 上記通信管理部３によって割り当てられた符号化レートに基づいて、PHY-PDUのビット列に冗長情報である誤り訂正符号を付加し、変調部８に出力する。
【００２３】
図４は、変調部８の概略構成図である。図４に示すように変調部８は、インタリーバ８a、シリアル−パラレル変換部８b、デジタル変調部８c、ＩＦＦＴ（Inverse Fast Fourier Transform）部８d、及びＧＩ(Guard Interval)付加部８eを備えている。
【００２４】
インタリーバ８aは、上記誤り訂正符号化部７によって誤り訂正符号が付加されたPHY-PDUのビット列にインタリーブ処理を施す。シリアル−パラレル変換部８bは、上記インタリーブ処理後のPHY-PDUのビット列を、帯域割当部４によって割り当てられたサブチャネルに含まれるサブキャリア毎にビット単位で分割し、デジタル変調部８cに出力する。デジタル変調部８cは、サブキャリアと同数設けられており、各サブキャリア毎に分割されたビットデータを、当該ビットデータに対応するサブキャリアを用いてデジタル変調し、変調信号をＩＦＦＴ部８dに出力する。なお、各デジタル変調部８cは、上記通信管理部３によって割り当てられた変調方式、例えばＢＰＳＫ（Binary Phase Shift Keying）、ＱＰＳＫ(Quadrature Phase Shift Keying）、１６ＱＡＭ（Quadrature Amplitude Modulation）、６４ＱＡＭ等を用いてデジタル変調を行う。
【００２５】
ＩＦＦＴ部８dは、各デジタル変調部８cから入力される変調信号を逆フーリエ変換して直交多重化することによりＯＦＤＭ信号を生成し、当該ＯＦＤＭ信号をＧＩ付加部８eに出力する。ＧＩ付加部８eは、上記ＩＦＦＴ部８dから入力されるＯＦＤＭ信号にガードインターバル（ＧＩ）を付加して送信部９に出力する。
【００２６】
図３に戻って説明を続ける。送信部９は、上記ＧＩ付加部８eから入力されるＯＦＤＭ信号をＲＦ信号に変換して無線通信端末ＰＳに送信する。受信部１０は、無線通信端末ＰＳから送信されたＲＦ信号を受信し、当該ＲＦ信号をＯＦＤＭ信号に周波数変換して復調部１１に出力する。
【００２７】
復調部１１は、受信部１０から入力されるＯＦＤＭ信号（つまり受信信号）の復調を行う。具体的には、この復調部１１は、上記変調部８に対して逆の処理を行うことで、受信信号の復調を行う。つまり、復調部１１は、まず受信信号からガードインターバルを除去し、ＦＦＴ処理を施すことにより各サブキャリア毎の変調信号に分割した後、各変調信号に対してデジタル復調を行い、当該復調によって得られたビットデータをパラレル−シリアル変換、デインタリーバ処理をしてビット列を再構築する。なお、この再構築されたビット列は、無線通信端末ＰＳから受信したPHY-PDUを示すビット列である。
【００２８】
誤り訂正復号部１２は、例えばＦＥＣデコーダであり、上記復調部１１から入力される受信PHY-PDUのビット列の誤り訂正復号を行い、当該誤り訂正後のビット列をPHY-PDU解析部１３に出力する。PHY-PDU解析部１３は、受信PHY-PDUのビット列を解析して、物理層ヘッダやＭＡＣヘッダに含まれる各種制御情報の抽出やデータ情報であるペイロードの抽出等を行うと共に、MAC-PDUを抽出してデータ再構築部１５に出力する。また、PHY-PDU解析部１３におけるMAC-ARQ応答判定部１３aは、受信PHY-PDUの解析の結果、当該受信PHY-PDU がＭＡＣ−ＡＲＱに関するＡＣＫ信号かＮＡＣＫ信号かを判定し、当該判定結果を再送制御部１４に出力する。
【００２９】
再送制御部１４は、MAC-ARQ応答判定部１３aの判定結果に基づき、受信PHY-PDU がＭＡＣ−ＡＲＱに関するＮＡＣＫ信号であった場合、無線通信端末ＰＳから再送要求のあったパケット（MAC-PDU）をＭＡＣ−ＡＲＱ方式で再送するようにスケジューラ２を制御する。また、この再送制御部１４は、MAC-ARQ応答判定部１３aの判定結果に基づき、受信PHY-PDU がＭＡＣ−ＡＲＱに関するＡＣＫ信号であった場合、次のパケット（MAC-PDU）を無線通信端末ＰＳに送信するようにスケジューラ２を制御する。
【００３０】
データ再構築部１５は、PHY-PDU解析部１３から入力されるMAC-PDUの１グループ分の順序整理を行った後、当該１グループ分の各MAC-PDUのＭＡＣヘッダ及びＣＲＣ符号を除去し、上位層用のデータ（ペイロード）を上位層に出力する。
【００３１】
なお、図３は基地局ＣＳとして説明をしたが、無線通信端末ＰＳも基地局ＣＳの構成要素を備えている（従って、特に図示はしていない）。ただし、基地局ＣＳにおけるQoＳ制御部１、スケジューラ２、通信管理部３及び帯域割当部４は、基地局ＣＳ固有の構成要素であって、無線通信端末ＰＳはこれらを備えることはない。その為に、無線通信端末ＰＳが、パケットの再送要求を基地局ＣＳに送信する場合は、再送時に使用するサブチャネル、変調方式及び符号化レートの割り当てが無線通信端末ＰＳに通知される。
【００３２】
次に、上記のように構成された基地局ＣＳの再送時における動作について図５のフローチャートを用いて説明する。なお、以下の説明において、基地局ＣＳを送信側、無線通信端末ＰＳを受信側とし、基地局ＣＳは前回のパケット送信時に伝送レートの高い変調方式（例えば１６ＱＡＭ）を使用し、無線通信端末ＰＳはＮＡＣＫ信号を基地局ＣＳに送信した場合を想定する。
【００３３】
基地局ＣＳは、受信部１０を介してＮＡＣＫ信号を無線通信端末ＰＳから受信する（ステップＳ１）。上記ＮＡＣＫ信号は、復調部１１及び誤り訂正復号部１２を介してPHY-PDU解析部１１に入力される。このPHY-PDU解析部１１においてMAC-ARQ応答判定部１３aは、上記ＮＡＣＫ信号を示す受信PHY-PDUの解析の結果、当該受信PHY-PDU がＮＡＣＫ信号であると判定し、当該判定結果を再送制御部１４に出力する。再送制御部１４は、MAC-ARQ応答判定部１３aの判定結果に基づき、無線通信端末ＰＳから再送要求のあったパケットを再送するようにスケジューラ２に要求する（ステップＳ２）。
【００３４】
スケジューラ２は、上記再送要求部１４の指示に基づき再送パケットの送信順序を決定し、その順序に従い再送パケットを帯域割当部４に出力する。帯域割当部４は、保持しているサブチャネルの使用状況に関する情報を通信管理部３に通知する（ステップＳ３）。そして、通信管理部３は、再送パケットのデータ量と再送パケットに割り当てられるサブチャネルに関する情報（この場合割り当て可能なサブチャネル数）を基に、前回のパケット送信時のデータレートを落とさずに再送するための変調方式を決定する（ステップＳ４）。このデータレートを落とさずに再送するという意味は、具体的には、再送を要求されたパケットに含まれるデータを同じパケット数あるいはより少ないパケット数で送信することをいう。つまり、データレートは、使用できるサブチャネル数（通信帯域）と変調クラスの比例関係により決定されるので、データレートを落とさない（低下させない）ようにするためには、サブチャネル数が増えれば変調クラスを下げられるし、サブチャネル数が減れば、変調クラスは上げなければならない。そして、通信管理部３は、決定された変調方式が前回のパケット送信時の変調方式より低いクラスの変調方式かを判断する（ステップＳ５）。
【００３５】
上記ステップＳ５において、前回のパケット送信時のスループットを落とさずに再送するための変調方式が、前回のパケット送信時の変調方式より低いクラスの変調方式であった場合（「Yes」）、割り当て可能なサブチャネルを全て再送用サブチャネルに割り当てる（ステップＳ６）。具体的には、上記再送用サブチャネルの割り当て数が多い場合には、例えばＢＰＳＫのような伝送レートの低い変調方式を用いて、確実に再送パケットが送信される確率をできる限り上げられ、且つデータレートを確保できる。
【００３６】
一方、ステップＳ５において、決定された変調方式が前回のパケット送信時の伝送レートより高い変調方式であった場合は（「No」）、通信管理部３は、帯域割当部４に対し、他の無線通信端末ＰＳとの間の通信回線において開放可能なサブチャネルがあるか否かを問い合わせ、帯域割当部４は、開放可能なサブチャネルがあるか否かを判断する（ステップＳ７）。具体的には、各無線通信端末ＰＳに割り当てられているQoS制御のサービスクラスに応じて開放可能なサブチャネルを判定する。例えばサービスクラスの種類として、優先度の高い順に（１）Conversational Class（サービス例：VoIP）、（２）Streaming Class(サービス例：ビデオ配信)、（３）Interactive Class(サービス例：HTTP)、（４）Background Class(サービス例：E-Mail)が設定されており、サービスクラスと対応する無線通信端末ＰＳとの関係が、図示しない記憶部に記憶されている。優先度の高いサービスクラスが設定されている無線通信端末ＰＳには優先的にサブチャネルが割り当てられるためサブチャネルの開放はされず、Background Classのような優先度の低いサービスクラスが設定されている無線通信端末ＰＳがサブチャネルを開放する。
【００３７】
つまり、帯域割当部４は、上記記憶部に記憶された再送の対象となる無線通信端末ＰＳと他の無線通信端末に設定されたサービスクラスの関係に基づき、再送の対象となる無線通信端末ＰＳより優先度の低い無線通信端末があるか否かを判定することによって、開放可能なサブチャネルがあるか否かを判定する。このステップＳ７において、開放可能なサブチャネルがあった場合（「Yes」）、帯域割当部４は、開放可能なサブチャネルを開放し、開放したサブチャネルを再送用サブチャネルとして割り当てる（ステップＳ８）。そして、ステップＳ３に戻り、処理を続ける。
【００３８】
一方、ステップＳ７において、開放可能なサブチャネルがなかった場合（「No」）、つまりデータレートを確保できるだけの空きサブチャネルや開放サブチャネルを確保できなかった場合、通信管理部３は、再送パケットの送信成功確率を優先して低い伝送レートの変調方式を再送用変調方式として決定する（ステップＳ９）。なお、このステップＳ９において、データレートの確保を優先する場合は、高い伝送レートの変調方式を再送用変調方式として決定しても良い。
【００３９】
続いて、再送パケットは、MAC-PDU構築部５、PHY-PDU構築部６、誤り訂正符号化部７、変調部８、送信部９を介して無線通信端末ＰＳに送信される（ステップＳ１０）。
【００４０】
以上のように、本実施形態によると、ＭＡＣ−ＡＲＱの再送時において、伝送レートの低い変調方式を使用する場合に、サブチャネルの割り当て数を可能な限り増やす（つまり広い周波数帯域を確保する）ことにより、データレートの低下を抑えると共に、再送パケットの送信成功確率を向上することが可能である。このことにより、スループットの低下を防止することができる。
【００４１】
なお、上記実施形態では、時分割多重接続（ＴＤＭＡ）、時分割複信（ＴＤＤ）に加えて直交周波数分割多重接続（ＯＦＤＭＡ）を採用した無線通信システムにおける基地局ＣＳを例示して説明したが、これに限定されず、無線通信装置間で１つ又は複数の通信チャネルを用いて時分割多重通信方式でパケット通信を行う無線通信システムにおける基地局、または無線通信装置間で周波数帯域を適応的に割り当てるマルチキャリア通信方式を用いて時分割多重通信方式でパケット通信を行う無線通信システムにおける基地局であれば本発明を適用することができる。
【図面の簡単な説明】
【００４２】
【図１】本発明の一実施形態における無線通信システムの構成概略図である。
【図２】本発明の一実施形態における無線通信システムの周波数とＴＤＭＡスロットとサブチャネルの関係を示す模式図である。
【図３】本発明の一実施形態における基地局ＣＳの構成ブロック図である。
【図４】本発明の一実施形態における変調部８の構成ブロック図である。
【図５】本発明の一実施形態における基地局ＣＳの動作フローチャートである。
【符号の説明】
【００４３】
ＣＳ…基地局、ＰＳ…無線通信端末、１…QoS制御部、２…スケジューラ、３…通信管理部、４…帯域割当部、５…MAC-PDU構築部、６…PHY-PDU構築部、７…誤り訂正符号化部、８…変調部、９…送信部、１０…受信部、１１…復調部、１２…誤り訂正復号部、１３…PHY-PDU解析部、１３a…MAC-ARQ応答判定部、１４…再送制御部、１５…データ再構築部
【図１】
2008067206.tif 000003
【図２】
2008067206.tif 000004
【図３】
2008067206.tif 000005
【図４】
2008067206.tif 000006
【図５】
2008067206.tif 000007